(57)【特許請求の範囲】
【請求項１】
中性点を有する多相交流電源（Ｅ１）の出力が与えられる複数の入力線（ＡＣＬｒ，ＡＣＬｓ，ＡＣＬｔ）と、
正側直流電源線（Ｌ１）と、
前記正側直流電源線に印加される電位よりも低い電位が印加される負側直流電源線（Ｌ２）と、
前記正側直流電源線と前記入力線の各々との間に接続された、逆阻止能力を有するハイアーム側スイッチ素子（Ｄｒｐ＋Ｓｒｐ，Ｄｓｐ＋Ｓｓｐ，Ｄｔｐ＋Ｓｔｐ）と、前記負側直流電源線と前記入力線の各々との間に接続された、逆阻止能力を有するローアーム側スイッチ素子（Ｄｒｎ＋Ｓｒｎ，Ｄｓｎ＋Ｓｓｎ，Ｄｔｎ＋Ｓｔｎ）とを有し、前記入力線の相互間に印加される多相交流電圧を、前記ハイアーム側スイッチ素子及び前記ローアーム側スイッチ素子の選択動作によって２つの電位を呈する方形波状の直流電圧に変換し、前記正側直流電源線と前記負側直流電源線との間に前記直流電圧を供給する電流形電力変換器（１）と、
前記入力線の相互間に設けられ、電圧源として機能する複数の入力コンデンサ（Ｃｒ，Ｃｓ，Ｃｔ）と、
前記正側直流電源線と前記負側直流電源線との間で、アノードが前記正側直流電源線側にカソードが前記負側直流電源線側に設けられた第１のダイオード（Ｄ１）と、
前記正側直流電源線と前記負側直流電源線との間で、いずれも前記第１のダイオードと直列に接続された第１コンデンサおよび第２コンデンサ（Ｃｃ１，Ｃｃ２）と、
前記中性点と、前記第１コンデンサと前記第２コンデンサとの間とを接続する中性相入力線（ＡＣＬｎ）と、
前記中性相入力線に介挿されたスイッチ（Ｓ１）と、
前記直流電圧を方形波状の交流電圧に変換して誘導性多相負荷（４）へ出力する電圧形電力変換装置（３）と、
前記複数の入力線及び前記中性相入力線のいずれか一つに介挿された抵抗（Ｒ１）と、
前記スイッチを導通した状態で同一の前記入力線に接続された前記ハイアーム側スイッチ素子及び前記ローアーム側スイッチ素子を導通させて、前記抵抗を介した前記第１コンデンサおよび前記第２コンデンサの充電に供し、所定の期間経過後に前記スイッチを非導通とする制御部（５）と
を備える、直接形交流電力変換装置。
【請求項２】
前記抵抗（Ｒ１）は前記中性相入力線（ＡＣＬｎ）上に設けられている、請求項１に記載の直接形交流電力変換装置。
【請求項３】
前記抵抗（Ｒ１）は一の前記入力線（ＡＣＬｒ，ＡＣＬｓ，ＡＣＬｔ）に設けられ、
前記抵抗と並列に接続されたリアクトル（Ｌｒ，Ｌｓ，Ｌｔ）を更に備える、請求項１に記載の直接形交流電力変換装置。
【請求項４】
前記第１コンデンサ（Ｃｃ１）は前記第２コンデンサ（Ｃｃ２）に対して前記正側直流電源線側に設けられており、前記第１のダイオード（Ｄ２）は、前記第１コンデンサと前記第２コンデンサとの間に設けられており、
アノードが前記第１のダイオードと前記第２コンデンサとの間に、カソードが前記正側直流電源線にそれぞれ接続された第２のダイオード（Ｄ３）と、
アノードが前記負側直流電源線に、カソードが前記第１のダイオードと前記第１コンデンサとの間にそれぞれ接続された第３のダイオード（Ｄ４）と
を更に備える、請求項１乃至３の何れか一つに記載の直接形交流電力変換装置。
【発明の詳細な説明】
【技術分野】
【０００１】
本発明は、直接形交流電力変換装置に関し、特に直接形交流電力変換装置が備えるコンデンサへの突入電流を防止する技術に関する。
【背景技術】
【０００２】
後述する非特許文献１には、クランプ回路を備えた直接形交流電力変換装置が開示されている。図１２は非特許文献１に記載の直接形交流電力変換装置を示している。但し本願での説明の都合上、図中の符号は必ずしも非特許文献１のそれとは一致はしない。
【０００３】
当該直接形交流電力変換装置の出力側にＩＰＭモータが設けられているとする。ＩＰＭモータの有効インダクタンスの平均値に相当する１相当たりのインダクタンスをＬａ、ＩＰＭモータへの電流供給を遮断する基準となる過負荷電流をｉ、クランプコンデンサの両端電圧をＶｃ、クランプコンデンサの電気容量をＣｃ、３相交流電源の相間電圧をＶｓとし、ＩＰＭモータが有する３相分のインダクタに蓄えられる電力が全てクランプコンデンサに回生されるとすると、次式の関係式を満たす。
【０００４】
【数１】
0005146011.tif 000002
【０００５】
よって、クランプコンデンサの両端電圧は次式で表される。
【０００６】
【数２】
0005146011.tif 000003
【０００７】
図１３は、式（２）から、クランプコンデンサの電気容量に対する両端電圧の関係を示すグラフである。例えば電源電圧Ｖｓを４００Ｖ、インダクタンスＬａを１２ｍＨ、過負荷電流ｉを４０Ａ、クランプコンデンサの電気容量１０μＦとすると、クランプコンデンサの両端電圧Ｖｃはおよそ１８００Ｖとなる。電源値は、電源電圧４００Ｖ級のトランジスタ及びダイオードの素子定格１２００Ｖを超える。
【０００８】
クランプコンデンサの両端電圧Ｖｃを例えば７５０Ｖ程度に抑えるためには、式（２）及び図１３よりクランプコンデンサの電気容量を２００μＦ以上とすることが必要である。
【０００９】
他方、クランプコンデンサの電気容量を大きくするほど、電源投入時の突入電流が大きくなる。具体的に説明すると、例えば１相分の直列回路として、電源、リアクトル、抵抗、コンデンサが直列に接続された直列回路を考える。リアクトルのインダクタンスをＬ、抵抗の抵抗値をＲ、クランプコンデンサの電気容量をＣとすると、当該直列回路における、入力（電源電圧Ｖｓ）に対する出力（電流）の伝達特性は次式で表される。
【００１０】
【数３】
0005146011.tif 000004
【００１１】
ステップ入力に対する応答を求めると、
【００１２】
【数４】
0005146011.tif 000005
【００１３】
となる。
【００１４】
ここで、１／Ｌ＝Ｄ，Ｒ／Ｌ＝Ｅ，１／ＬＣ＝Ｆとして、式（４）を逆ラプラス変換して電流の応答を求めると
【００１５】
【数５】
0005146011.tif 000006
【００１６】
【数６】
0005146011.tif 000007
【００１７】
となる。コンデンサの電気容量Ｃが大きくなるほどＦが小さくなり、Ｄ，Ｅは電気容量Ｃによらず一定なので、コンデンサＣが大きくなるほどωが小さくなる。よって、時間による減衰を除いた振幅項Ｄ／ωはコンデンサの電気容量Ｃが大きくなるほど大きくなる。即ち、コンデンサの電気容量Ｃの増大に伴って突入電流が大きくなる。
【００１８】
なお、式（５）よりｉ（ｔ）を時間で微分した値を０（ｉ（ｔ）’＝０）として、電流の最大値を求めると、
【００１９】
【数７】
0005146011.tif 000008
【００２０】
となり、このとき電流は最大値となる。当該最大値が突入電流として把握できる。図１４は、電気容量Ｃに対する突入電流（ｉ（（π−α）／ω））の関係を示すグラフである。
【００２１】
上述したように、回生電流によって充電されたクランプコンデンサの両端電圧を７５０Ｖ程度に抑えるために、クランプコンデンサの電気容量を２００μＦとした場合、式（６）、（７）より電流の最大値（突入電流）は１５０Ａに至る。
【００２２】
なお、本発明に関連する技術として特許文献１〜４が開示されている。
【００２３】
【非特許文献１】リザイアング・ウェイ(Lixiang Wei)およびトーマス・エー・リポ(Thomas A.Lipo)著、「９−スイッチ・デゥアル−ブリッジ・マトリクスコンバータの低出力力率動作についての研究(Investigation of 9-switch Dual-bridge Matrix Converter Operating under Low Output Power Factor)」、米国、アイトリプルイー(IEEE)、ISA2003,vol.1、pp.176-181
【特許文献１】米国特許第６，９９５，９９２号明細書
【特許文献２】特開２００６−５４９４７号公報
【特許文献３】特開平８−０７９９６３号公報
【特許文献４】特開平２−６５６６７号公報
【発明の開示】
【発明が解決しようとする課題】
【００２４】
上述したように、回生電流によるクランプコンデンサの両端電圧の増大を抑制するためにはクランプコンデンサの電気容量を大きくすれば、クランプコンデンサへと突入電流が増大するという問題があった。
【００２５】
そこで、本発明の目的はコンデンサの電気容量を大きくしてコンデンサの両端電圧の増大を防止しつつ、突入電流を低減できる直接形交流電力変換装置を提供することを目的とする。
【課題を解決するための手段】
【００２６】
本発明に係る直接形電力変換装置の第１の態様は、中性点を有する多相交流電源（Ｅ１）の出力が与えられる複数の入力線（ＡＣＬｒ，ＡＣＬｓ，ＡＣＬｔ）と、正側直流電源線（Ｌ１）と、前記正側直流電源線に印加される電位よりも低い電位が印加される負側直流電源線（Ｌ２）と、前記正側直流電源線と前記入力線の各々との間に接続された、逆阻止能力を有するハイアーム側スイッチ素子（Ｄｒｐ＋Ｓｒｐ，Ｄｓｐ＋Ｓｓｐ，Ｄｔｐ＋Ｓｔｐ）と、前記負側直流電源線と前記入力線の各々との間に接続された、逆阻止能力を有するローアーム側スイッチ素子（Ｄｒｎ＋Ｓｒｎ，Ｄｓｎ＋Ｓｓｎ，Ｄｔｎ＋Ｓｔｎ）とを有し、前記入力線の相互間に印加される多相交流電圧を、前記ハイアーム側スイッチ素子及び前記ローアーム側スイッチ素子の選択動作によって２つの電位を呈する方形波状の直流電圧に変換し、前記正側直流電源線と前記負側直流電源線との間に前記直流電圧を供給する電流形電力変換器（１）と、前記入力線の相互間に設けられ、電圧源として機能する複数の入力コンデンサ（Ｃｒ，Ｃｓ，Ｃｔ）と、前記正側直流電源線と前記負側直流電源線との間で、アノードが前記正側直流電源線側にカソードが前記負側直流電源線側に設けられた第１のダイオード（Ｄ１）と、前記正側直流電源線と前記負側直流電源線との間で、いずれも前記第１のダイオードと直列に接続された第１コンデンサおよび第２コンデンサ（Ｃｃ１，Ｃｃ２）と、前記中性点と、前記第１コンデンサと前記第２コンデンサとの間とを接続する中性相入力線（ＡＣＬｎ）と、前記中性相入力線に介挿されたスイッチ（Ｓ１）と、前記直流電圧を方形波状の交流電圧に変換して誘導性多相負荷（４）へ出力する電圧形電力変換装置（３）と、前記複数の入力線及び前記中性相入力線のいずれか一つに介挿された抵抗（Ｒ１）と、前記スイッチを導通した状態で同一の前記入力線に接続された前記ハイアーム側スイッチ素子及び前記ローアーム側スイッチ素子を導通させて、前記抵抗を介した前記第１コンデンサおよび前記第２コンデンサの充電に供し、所定の期間経過後に前記スイッチを非導通とする制御部（５）とを備える。
【００２７】
本発明に係る直接形交流電力変換装置の第２の態様は、第１の態様に係る直接形交流電力変換装置であって、前記抵抗（Ｒ１）は前記中性相入力線（ＡＣＬｎ）上に設けられている。
【００２８】
本発明に係る直接形交流電力変換装置の第３の態様は、第１の態様に係る直接形交流電力変換装置であって、前記抵抗（Ｒ１）は一の前記入力線（ＡＣＬｒ，ＡＣＬｓ，ＡＣＬｔ）に設けられ、前記抵抗と並列に接続されたリアクトル（Ｌｒ，Ｌｓ，Ｌｔ）を更に備える。
【００２９】
本発明に係る直接形交流電力変換装置の第４の態様は、第１乃至第３の何れか一つの態様に係る直接形交流電力変換装置であって、前記第１コンデンサ（Ｃｃ１）は前記第２コンデンサ（Ｃｃ２）に対して前記正側直流電源線側に設けられており、前記第１のダイオード（Ｄ２）は、前記第１コンデンサと前記第２コンデンサとの間に設けられており、アノードが前記第１のダイオードと前記第２コンデンサとの間に、カソードが前記正側直流電源線にそれぞれ接続された第２のダイオード（Ｄ３）と、アノードが前記負側直流電源線に、カソードが前記第１のダイオードと前記第１コンデンサとの間にそれぞれ接続された第３のダイオード（Ｄ４）とを更に備える。
【発明の効果】
【００３０】
本発明に係る直接形交流電力変換装置の第１の態様によれば、電流形電力変換器の初期動作時に多相交流電源から第１コンデンサおよび第２コンデンサへと突入電流が流れることを防止できる。このとき、入力コンデンサと第１コンデンサ及び第２コンデンサとは電気的に接続されない。
【００３１】
また、スイッチを導通させた状態で、一の入力線に接続されたハイアーム側スイッチ素子及びローアーム側スイッチ素子の一対を導通させると、電流形電力変換器は、中性相入力線、第１コンデンサ及び第２コンデンサとともに等価的に倍電圧整流回路を構成する。よって、充電された後の第１コンデンサ及び第２コンデンサの一組の両端電圧は、多相交流電源の電圧の２倍の値である。
【００３２】
スイッチを非導通とした後は、電流形電力変換部が入力線の相互間を流れる多相交流電流を直流電流に変換して第１コンデンサおよび第２コンデンサへ供給するので、入力コンデンサと第１コンデンサおよび第２コンデンサとが並列に接続される。なお、入力コンデンサの両端電圧は、入力線の線間電圧に相当し、多相交流電源の電圧の√３倍の値である。
【００３３】
第１コンデンサ及び第２コンデンサの一組の両端電圧は、入力コンデンサの両端電圧よりも大きいので、入力コンデンサと第１コンデンサおよび第２コンデンサとが並列に接続された場合に、入力コンデンサから第１コンデンサおよび第２コンデンサへと突入電流が流れることを効果的に防止できる。
【００３４】
本発明に係る直接形交流電力変換装置の第２の態様によれば、中性相入力線に抵抗が設けられているため、いずれの入力線を用いても、抵抗を介して第１コンデンサおよび第２コンデンサへと直流電流を供給することができる。
【００３５】
本発明に係る直接形交流電力変換装置の第３の態様によれば、リアクトルと入力コンデンサとによってキャリア電流成分を除去するキャリア電流成分除去フィルタを構成できる。また、抵抗とリアクトルとが並列に接続されているので、充電初期時（過渡時）における入力コンデンサの電圧の脈動を低減することができる。
【００３６】
本発明に係る直接形交流電力変換装置の第４の態様によれば、第１乃至第３のダイオードの整流機能によって、第１コンデンサおよび第２コンデンサは相互に直列状態で充電され、相互に並列状態で放電する。第１コンデンサおよび第２コンデンサは誘導性多相負荷からの回生電流が充電され、電圧型電力変換装置側の負荷力率に基づいて決定される電圧値を超えたときに放電する。即ち、第１コンデンサ及び第２コンデンサで放電経路を確保することが可能であるため、パッシブ回路でありながら非特許文献１に記載の方式と同等の動作を実現できる。
【発明を実施するための最良の形態】
【００３７】
第１の実施の形態．
本発明にかかる第１の実施の形態の直接形交流電力変換装置の一例として、モータ駆動装置の概念的な構成を図１に示す。本モータ駆動装置は、電源Ｅ１と、入力線ＡＣＬｒ，ＡＣＬｓ，ＡＣＬｔと、中性相入力線ＡＣＬｎと、リアクトルＬｒ，Ｌｓ，Ｌｔと、コンデンサＣｒ，Ｃｓ，Ｃｔと、電流形コンバータ１と、直流電源線Ｌ１，Ｌ２と、クランプ回路２と、電圧形インバータ３と、モータ４と、制御部５と、抵抗Ｒ１と、スイッチＳ１とを備えている。
【００３８】
電源Ｅ１は中性点（図示せず）を有する多相交流電源であって例えば３相交流電源である。入力線ＡＣＬｒ，ＡＣＬｓ，ＡＣＬｔには電源Ｅ１の出力が与えられる。
【００３９】
リアクトルＬｒ，Ｌｓ，Ｌｔの各々は入力線ＡＣＬｒ，ＡＣＬｓ，ＡＣＬｔ上にそれぞれ設けられている。
【００４０】
コンデンサＣｒ，Ｃｓ，Ｃｔは入力線ＡＣＬｒ，ＡＣＬｓ，ＡＣＬｔの相互間で例えばＹ結線されて設けられている。具体的には、コンデンサＣｒ，Ｃｓは入力線ＡＣＬｒ，ＡＣＬｓの間に直列に接続され、コンデンサＣｓ，Ｃｔは入力線ＡＣＬｓ，ＡＣＬｔの間に直列に接続され、コンデンサＣｔ，Ｃｒは入力線ＡＣＬｔ，ＡＣＬｒの間に直列に接続される。これは電流形コンバータ１の入力側に設けられ電圧源として機能する。なお、コンデンサＣｒ，Ｃｓ，Ｃｔは入力コンデンサと把握できる。他方、コンデンサＣｒ，Ｃｓ，ＣｔはそれぞれリアクトルＬｒ，Ｌｓ，Ｌｔと共にキャリア電流成分を除去するキャリア電流成分除去フィルタを構成すると把握することもできる。
【００４１】
電流形コンバータ１は、複数のスイッチ素子を有しており、当該複数のスイッチ素子の選択動作によって、入力線ＡＣＬｒ，ＡＣＬｓ，ＡＣＬｔの間に印加される３相交流電圧を２つの電位を呈する方形波状の直流電圧に変換して、直流電源線Ｌ１，Ｌ２の間に当該直流電圧を供給する。なお、直流電源線Ｌ１は正側直流電源線と、直流電源線Ｌ２は直流電源線Ｌ１よりも低い電位が印加される負側直流電源線と把握できる。
【００４２】
より具体的には、電流形コンバータ１は、ハイアーム側トランジスタＳｒｐ，Ｓｓｐ，Ｓｔｐと、ローアーム側トランジスタＳｒｎ，Ｓｓｎ，Ｓｔｎと、ダイオードＤｒｐ，Ｄｒｎ，Ｄｓｐ，Ｄｓｎ，Ｄｔｐ，Ｄｔｎとを備えている。なお、以下の説明においては、ハイアーム側トランジスタ及びローアーム側トランジスタを単にトランジスタとも呼ぶ。
【００４３】
ダイオードＤｒｐ，Ｄｓｐ，Ｄｔｐの各カソードは直流電源線Ｌ１に接続され、ダイオードＤｒｎ，Ｄｓｎ，Ｄｔｎの各アノードは直流電源線Ｌ２にそれぞれ接続されている。
【００４４】
トランジスタＳｒｐ，Ｓｓｐ，Ｓｔｐの各エミッタはそれぞれダイオードＤｒｐ，Ｄｓｐ，Ｄｔｐのアノードと接続され、トランジスタＳｒｎ，Ｓｓｎ，Ｓｔｎの各コレクタはそれぞれダイオードＤｒｎ，Ｄｓｎ，Ｄｔｎのカソードと接続されている。トランジスタＳｒｐのコレクタおよびトランジスタＳｒｎのエミッタ、トランジスタＳｓｐのコレクタおよびトランジスタＳｓｎのエミッタ、トランジスタＳｔｐのコレクタおよびトランジスタＳｔｎのエミッタはそれぞれ共通して入力線ＡＣＬｒ，ＡＣＬｓ，ＡＣＬｔと接続されている。なお、トランジスタおよびこれと直列に接続されたダイオードの一組（例えばトランジスタＳｒｐ，Ｓｒｎの一組）は逆阻止能力を有するスイッチ素子と把握することができる。
【００４５】
そして、制御部５によって、これらのトランジスタＳｒｐ，Ｓｒｎ，Ｓｓｐ，Ｓｓｎ，Ｓｔｐ，Ｓｔｎの各々のベースにスイッチ信号が与えられて、電流形コンバータ１は３相交流電圧を２つの電位を持つ方形波状の直流電圧に変換する。
【００４６】
クランプ回路２は、クランプコンデンサＣｃ１，Ｃｃ２と、ダイオードＤ１とを備えている。ダイオードＤ１は直流電源線Ｌ１，Ｌ２の間で、アノードが直流電源線Ｌ１側にカソードが直流電源線Ｌ２側に接続されている。クランプコンデンサＣｃ１，Ｃｃ２は、いずれもがダイオードＤ１と直列に接続されている。クランプコンデンサＣｃ１，Ｃｃ２、ダイオードＤ１は相互に直列に接続されている。このようなクランプ回路２によれば、電圧形インバータ３から電流形コンバータ１へと向かう還流電流に起因して生じる、直流電源線Ｌ１，Ｌ２の間の電圧上昇を抑制することができる。また、クランプコンデンサＣｃ１，Ｃｃ２は直流電源線Ｌ１，Ｌ２の間の電圧を分圧するので各クランプコンデンサＣｃ１，Ｃｃ２の両端電圧を低減できる。
【００４７】
中性相入力線ＡＣＬｎは電源Ｅ１の中性点と、クランプコンデンサＣｃ１，Ｃｃ２の間とを接続している。抵抗Ｒ１は中性相入力線ＡＣＬｎに介挿されている。スイッチＳ１は中性相入力線ＡＣＬｎ上で抵抗Ｒ１と直列に設けられている。
【００４８】
電圧形インバータ３は、直流電源線Ｌ１，Ｌ２の間の方形波状の直流電圧を方形波状の交流電圧に変換してモータ４に出力する。より具体的には、電圧形インバータ３は、ハイアーム側トランジスタＳｕｐ，Ｓｖｐ，Ｓｗｐと、ローアーム側トランジスタＳｕｎ，Ｓｖｎ，Ｓｗｎと、ダイオードＤｕｐ，Ｄｕｎ，Ｄｖｐ，Ｄｖｎ，Ｄｗｐ，Ｄｗｎとを備えている。
【００４９】
トランジスタＳｕｐ，Ｓｖｐ，Ｓｗｐの各コレクタおよびダイオードＤｕｐ，Ｄｖｐ，Ｄｗｐの各カソードは直流電源線Ｌ１に、トランジスタＳｕｎ，Ｓｖｎ，Ｓｗｎの各エミッタおよびダイオードＤｕｎ，Ｄｖｎ，Ｄｗｎの各アノードは直流電源線Ｌ２にそれぞれ接続されている。
【００５０】
トランジスタＳｕｐのエミッタ、トランジスタＳｕｎのコレクタ、ダイオードＤｕｐのアノードおよびダイオードＤｕｎのカソードは共通してモータ４に接続され、トランジスタＳｖｐのエミッタ、トランジスタＳｖｎのコレクタ、ダイオードＤｖｐのアノードおよびダイオードＤｖｎのカソードは共通してモータ４に接続され、トランジスタＳｗｐのエミッタ、トランジスタＳｗｎのコレクタ、ダイオードＤｗｐのアノードおよびダイオードＤｗｎのカソードは共通してモータ４に接続されている。
【００５１】
そして、例えば制御部５によって、これらのトランジスタＳｕｐ，Ｓｕｎ，Ｓｖｐ，Ｓｖｎ，Ｓｗｐ，Ｓｗｎの各々のベースにスイッチ信号が与えられて、電圧形インバータ３は直流電源線Ｌ１，Ｌ２の間の方形波状の直流電圧を方形波状の交流電圧に変換してモータ４に出力する。
【００５２】
モータ４は例えば３相交流モータであって、そのインダクタンス分および抵抗分が、コイルＬｕ，Ｌｖ，Ｌｗ及びこれらとそれぞれ直列に接続された抵抗Ｒｕ，Ｒｖ，Ｒｗで、それぞれ表されている。これらの直列接続は、モータ４の各相に対応している。これらの直列接続の一端は、それぞれトランジスタＳｕｐ，Ｓｕｎの間、トランジスタＳｖｐ，Ｓｖｎの間、トランジスタＳｗｐ，Ｓｗｎの間に接続されている。これらの直列接続の他端は中性点Ｎで共通に接続されている。
【００５３】
電圧形インバータ３から方形波状の交流電圧が与えられるが、モータ４が有するインダクタンス分により、モータ４を駆動する交流電流は滑らかとなる。言い換えると、モータ４は電圧形インバータ３から与えられた方形波状の交流電圧を交流電流に変換する。
【００５４】
このモータ４を流れる交流電流は、電圧形インバータ３、電流形コンバータ１を経由してコンデンサＣｒ，Ｃｓ，Ｃｔを充電し、交流電圧に変換される。還元すれば、モータ４は、電流形コンバータ１に対する電流源として把握することもできる。
【００５５】
制御部５はスイッチＳ１及び電流形コンバータ１が有するトランジスタの選択動作を制御する。制御部５はスイッチＳ１を導通した状態で、入力線ＡＣＬｒ，ＡＣＬｓ，ＡＣＬｔのいずれか一つに接続された一対のハイアーム側トランジスタ及びローアーム側トランジスタを導通させる。これによって、抵抗Ｒ１を介して入力線の一（例えば入力線ＡＣＬｒ）と中性相入力線ＡＣＬｎとを流れる１相分の線電流が、倍電圧整流してクランプコンデンサＣｃ１，Ｃｃ２へと供給される。そして、制御部５は、所定の期間経過後にスイッチＳ１を非導通とする。
【００５６】
より具体的には、制御部５は、通電検出部５１と、スイッチング制御部５２とを備えている。
【００５７】
通電検出部５１は例えば電源Ｅ１の所定の２相（例えば入力線ＡＣＬｒ，ＡＣＬｓ）を流れる交流電流を検出する。
【００５８】
スイッチング制御部５２は電流形コンバータ１が有するトランジスタへとスイッチング信号を与える。
【００５９】
このような構成のモータ駆動装置において制御部５の動作について説明する。図２は制御部５の動作を示すフローチャートである。
【００６０】
まず、ステップＳＴ１にて、通電検出部５１は、例えば外部のＣＰＵ等から起動指令を受け取る。次に、ステップＳＴ２にて、当該起動指令を受け取った通電検出部５１は、例えば電源Ｅ１の所定の２相（例えば入力線ＡＣＬｒ，ＡＣＬｓ）を流れる交流電流を検出する。そして、適正な交流電流を検知した場合は、ステップＳＴ３を実行する。適正な交流電流を検知しない場合（交流電流が電流形コンバータ１に与えられていない場合）は、例えばエラーを報知して動作を停止する。
【００６１】
交流電流が与えられない状態でクランプコンデンサＣｃ１，Ｃｃ２への充電動作（ステップＳＴ１，ＳＴ２と、後述するステップＳＴ３〜ＳＴ７）を行った場合、クランプコンデンサＣｃ１，Ｃｃ２には電圧が充電されない。そして、クランプコンデンサＣｃ１，Ｃｃ２に電圧が充電されないまま通常運転へと移行し、当該通常運転において交流電流が電流形コンバータ１に与えられた場合、通常運転においてはスイッチＳ１が非導通であるため、限流抵抗Ｒ１を介さずにクランプコンデンサＣｃ１，Ｃｃ２へと電流が流れる。よって、突入電流が流れる。本実施の形態では、上記ステップＳＴ２の動作によって、このような突入電流が流れることを防止できる。
【００６２】
次に、ステップＳＴ３にて、通電検出部５１はスイッチＳ１へとスイッチ信号を送信してスイッチＳ１を導通させる。
【００６３】
次に、ステップＳＴ４にて、スイッチング制御部５２は入力線の一（例えば入力線ＡＣＬｒ）と中性相入力線ＡＣＬｎとの間の１相分の相電圧を倍電圧整流してクランプコンデンサＣｃ１，Ｃｃ２の充電に供する。具体的には、スイッチング制御部５２は、例えばトランジスタＳｒｐ，Ｓｒｎの制御を開始する。図３は、入力線ＡＣＬｒと中性相入力線ＡＣＬｎの間の電圧Ｖｒｎと、トランジスタＳｒｐ，Ｓｔｐの導通／非導通の状態を示す図である。なお、図３においては電圧Ｖｒｎが入力線ＡＣＬｒ側で高電位になる場合を正として示している。
【００６４】
図３に示すように、スイッチング制御部５２は、相電圧Ｖｒｎの極性の正負に拘わらず一対のトランジスタＳｒｐ，Ｓｒｎを導通させる。このとき、電源Ｅ１、入力線ＡＣＬｔ、トランジスタＳｒｐ，Ｓｒｎ、クランプコンデンサＣｃ１，Ｃｃ２，中性相入力線ＡＣＬｎからなる回路は、等価的に倍電圧整流回路を構成する。そして、クランプコンデンサＣｃ１，Ｃｃ２の充電経路のいずれにも抵抗Ｒ１が介挿されているので、クランプコンデンサＣｃ１，Ｃｃ２は抵抗Ｒ１を介して直流電圧が印加される。よって、電源Ｅ１からクランプコンデンサＣｃ１，Ｃｃ２へと突入電流が流れることを防止できる。
【００６５】
以下、クランプコンデンサＣｃ１，Ｃｃ２に抵抗Ｒ１を介して電流が流れることで突入電流を防止できる理由について説明する。簡単のために、相互に直列接続されたリアクトルＬ（リアクトルＬｒに相当）、抵抗Ｒ（抵抗Ｒ１に相当）、コンデンサＣ（クランプコンデンサＣｃ１，Ｃｃ２に相当）を有する回路に直列に電源電圧Ｖｓ（入力線ＡＣＬｒと中性相入力線ＡＣＬｎの間の電圧に相当）が印加された場合に、回路に流れる電流ｉについて考える。
【００６６】
図４は当該回路を示す図であり、図５は電源電圧Ｖｓが入力されたときのコンデンサＣを流れる電流ｉｃを出力としたブロック線図である。電源電圧Ｖｓに対する電流ｉｃの伝達特性Ｇ（ｓ）は式（１）と同様である。ステップ入力に対する応答を求めると、式（２）が導かれる。ここで、抵抗Ｒ１の抵抗値Ｒは大きく、過渡応答（ｓの小さい範囲）を考慮するので、当該伝達特性を１次遅れで近似すると、
【００６７】
【数８】
0005146011.tif 000009
【００６８】
となり、これを逆ラプラス変換すると、
【００６９】
【数９】
0005146011.tif 000010
【００７０】
となる。ここで、Ｄ＝１／Ｌ、Ｅ＝Ｒ／Ｌ、Ｆ＝１／ＬＣである。
【００７１】
図６は式（９）を図示したものであり、時間に対するコンデンサを流れる電流の関係を示している。なお、図６においては、リアクトルＬのインダクタンスが１ｍＨ、コンデンサＣの電気容量が３３０μＦ、抵抗Ｒの抵抗値が１０Ω、電源電圧Ｖｓが４００Ｖである場合の結果を示している。電流の最大値は式（９）にｔ＝０を代入すると求めることができ、ｉｃ（０）＝１／Ｒ（一定）である。これが突入電流として把握され、当該突入電流は抵抗値Ｒのみで表される値である。よって、突入電流を制限することができる。
【００７２】
再び図２を参照して、次にステップＳＴ５にて、通電検出部５１は、ステップＳＴ４を開始してから規定の時間を経過したかどうかを判断し、経過していなければ再びステップＳＴ５を実行する。経過していれば、ステップＳＴ６にて、通電検出部５１は、スイッチＳ１を非導通とする。当該スイッチＳ１の導通によって、電源Ｅ１からの交流電流は抵抗Ｒ１を流れない。よって突入電流を抑制した後は抵抗Ｒ１で生じる損失の発生を防止することができる。
【００７３】
また、ステップＳＴ４では、例えば一対のトランジスタＳｒｐ，Ｓｒｎを導通させ、トランジスタＳｓｐ，Ｓｓｎ，Ｓｔｐ，Ｓｔｎは非導通としているので、コンデンサＣｒ，Ｃｓ，Ｃｔと、クランプコンデンサＣｃ１，Ｃｃ２とが接続されない。よって、コンデンサＣｒ，Ｃｓ，Ｃｔに充電されていたとしても、コンデンサＣｒ，Ｃｓ，Ｃｔからクランプコンデンサへと突入電流が流れることを防止できる。
【００７４】
次に、ステップＳＴ７にて、直接形交流電力変換装置を起動し、通常運転に移行する。より具体的には、電流形コンバータ１のスイッチング動作を通常運転用に切り替えるべく、電流形コンバータ１を再起動し、また電圧形インバータ３を起動する。通常運転では、スイッチング制御部５２は、トランジスタＳｒｐ，Ｓｒｎ，Ｓｓｐ，Ｓｓｎ，Ｓｔｐ，Ｓｔｎへとスイッチ信号を与えて電流形コンバータ１を動作させ、以て入力線ＡＣＬｒ，ＡＣＬｓ，ＡＣＬｔから入力される交流電圧を２つの電位を持つ方形波状の直流電圧に変換して直流電源線Ｌ１，Ｌ２に供給する。そして、例えば電圧形インバータ３は電流形コンバータ１と同期して動作し、直流電源線Ｌ１，Ｌ２の間の方形波状の直流電圧を方形波状の交流電圧に変換してモータ４に印加する。
【００７５】
ステップＳＴ４にてクランプコンデンサＣｃ１，Ｃｃ２には倍電圧整流された直流電圧が印加されるので、クランプコンデンサＣｃ１，Ｃｃ２の一組の両端電圧は例えばコンデンサＣｒ，Ｃｓの一組の両端電圧よりも大きい（具体的には２／√３倍である）。よって、通常運転を開始するに際して、コンデンサＣｒ，ＣｓからクランプコンデンサＣｃ１，Ｃｃ２へと初期的に流れる電流が突入電流として流れることを効果的に防止することができる。
【００７６】
以上のように、本モータ駆動装置によれば、電源Ｅ１からクランプコンデンサＣｃ１，Ｃｃ２へと突入電流が流れることを防止できる。また、通常運転を開始するに際して、コンデンサＣｒ，Ｃｓ，ＣｔからクランプコンデンサＣｃ１，Ｃｃ２へと突入電流が流れることを効果的に防止できる。また、一対のトランジスタＳｒｐ，Ｓｒｎを導通させるだけでよく、例えば電源電圧の位相に基づいたスイッチング制御を行う必要がないので、簡単にスイッチ信号を生成できる。
【００７７】
なお、一般的に電流形コンバータの出力にはリアクトルが設けられることから、電流形コンバータには限流抵抗が設けられない。しかし、交流電圧を２つの電位を持つ方形波状電圧に変換して、上述のようにコンデンサとして機能するクランプコンデンサＣｃ１，Ｃｃ２が設けられている場合には、これに対して初期的に流れる充電電流が突入電流として流れることを防ぐため、限流抵抗を設けることが望まれる。
【００７８】
第１の実施の形態にかかる直接形交流電力変換装置の他の一例として、モータ駆動装置の概念的な構成を図７に示す。図７に示すモータ駆動装置はクランプ回路２を除いて図１に示すモータ駆動装置と同一である。なお、図７においては、クランプ回路２よりも後段の回路を省略して示している。
【００７９】
クランプ回路２はクランプコンデンサＣｃ１，Ｃｃ２とダイオードＤ２〜Ｄ４とを備えている。クランプコンデンサＣｃ１は直流電源線Ｌ１,Ｌ２の間で接続されている。クランプコンデンサＣｃ２はクランプコンデンサＣｃ１と直列に接続され、クランプコンデンサＣｃ１に対して直流電源線Ｌ２側に設けられている。
【００８０】
ダイオードＤ２は、クランプコンデンサＣｃ１，Ｃｃ２の間で、アノードがクランプコンデンサＣｃ１にカソードがクランプコンデンサＣｃ２にそれぞれ接続されている。ダイオードＤ３は、アノードがクランプコンデンサＣｃ２とダイオードＤ２との間に、カソードが直流電源線Ｌ１にそれぞれ接続されている。ダイオードＤ４はアノードが直流電源線Ｌ２に、カソードがクランプコンデンサＣｃ１とダイオードＤ２との間にそれぞれ接続されている。
【００８１】
このようなクランプ回路２によれば、電圧形インバータ３側の負荷力率により直流電源線Ｌ１，Ｌ２の間の電圧に対してモータ４を流れる電流が遅れた場合に、所定の期間において、モータ４から直流電源線Ｌ１，Ｌ２へと還流電流が流れ、クランプコンデンサＣｃ１，Ｃｃ２は相互に直列状態で充電される。このときの充電電圧（クランプコンデンサＣｃ１，Ｃｃ２の一組の両端電圧）も負荷力率に基づいて決定される。他方、クランプコンデンサＣｃ１，Ｃｃ２の各々の両端電圧が、直流電源線Ｌ１，Ｌ２の間の方形波状の直流電圧の低い方の電圧より上昇したときに、クランプコンデンサＣｃ１，Ｃｃ２は相互に並列状態で放電する。なお、クランプコンデンサＣｃ１，Ｃｃ２は相互に直列状態で充電し、相互に並列状態で放電することから、放電電圧は充電電圧の１／２である。
【００８２】
このような充放電動作により、放電電流が充電電流に比べて大きい場合にクランプコンデンサＣｃ１，Ｃｃ２の電圧が平衡するように作用する。
【００８３】
以上のように、モータ４からの還流電流を充電し、また放電してモータ４へと再び供給することができるので、効率よくモータ４を駆動できる。また、クランプ回路２はスイッチ素子等のいわゆるアクティブ素子を必要としていないので、消費電力や製造コストを低減できる。
【００８４】
第２の実施の形態．
第２の実施の形態にかかる直接形交流電力変換装置の一例として、モータ駆動装置の概念的な構成を図８に示す。本モータ駆動装置の概念的な構成は、抵抗Ｒ１〜Ｒ３、補助スイッチＳｒを除いて図７に示すモータ駆動装置と同一である。なお、図８においてはクランプ回路２より後段の回路を省略して示している。また、クランプ回路２は図１に示す態様であって構わない。
【００８５】
抵抗Ｒ１〜Ｒ３はそれぞれ入力線ＡＣＬｒ，ＡＣＬｓ，ＡＣＬｔに介挿されている。補助スイッチＳｒはリアクトルＬｒ〜Ｌｔのいずれかと直列に接続されており、図８においてはリアクトルＬｒと直列に接続された態様が例示されている。リアクトルＬｓ，Ｌｔは抵抗Ｒ２，Ｒ３とそれぞれ並列に接続されており、補助スイッチＳｒとリアクトルＬｒの一組は抵抗Ｒ１と並列に接続されている。
【００８６】
通電検出部５１は補助スイッチＳｒの選択動作を制御できる。
【００８７】
このようなモータ駆動装置において制御部５の動作は図２に示すフローチャートとステップＳＴ６を除いて同一である。ステップＳＴ６では、通電検出部５１はスイッチＳ１を非導通とし補助スイッチＳｒを導通させる。なお、ステップＳＴ４において、スイッチング制御部５２は、図３に示すように、電流形コンバータ１へとスイッチ信号を出力するとよい。
【００８８】
なお、ステップＳＴ３にてスイッチＳ１を導通させ、ステップＳＴ４にて電流形コンバータ１を制御した時点で補助スイッチＳｒは非導通であるので、入力線ＡＣＬｒと中性相入力線ＡＣＬｎとを流れる交流電流は必ず抵抗Ｒ１を流れる。よって、クランプコンデンサＣｃ１，Ｃｃ２へと突入電流が流れることを効果的に防止できる。なお、補助スイッチＳｒを設けずに、入力線ＡＣＬｒと中性相入力線ＡＣＬｎを流れる交流電流の一部がリアクトルＬｒを介してクランプコンデンサＣｃ１，Ｃｃ２へと流れてもよい。この場合であっても、交流電流の他の一部は抵抗Ｒ１を介するので突入電流を低減することができ、またリアクトルＬｒを介す交流電流についても例えばリアクトルＬｒの抵抗成分により突入電流を低減することができる。
【００８９】
また、リアクトルＬｒ，Ｌｓ，ＬｔとコンデンサＣｒ，Ｃｓ，Ｃｔからなるキャリア電流成分除去フィルタにおいて、抵抗Ｒ１〜Ｒ３はコンデンサＣｒ，Ｃｓ，Ｃｔの入出力過渡特性を改善することができる。以下に具体的に説明する。
【００９０】
簡単のために、１相分の回路として、相互に並列接続されたリアクトルＬ（リアクトルＬｒ，Ｌｓ，Ｌｔに相当）および抵抗Ｒ（抵抗Ｒ１〜Ｒ３に相当）の一組と、コンデンサＣ（コンデンサＣｒ，Ｃｓ，Ｃｔに相当）とが直列に接続された回路に、電源電圧Ｖｓを入力した場合ついて考える。図９は当該回路を示す構成図である。当該回路において、電源電圧Ｖｓを入力した際にコンデンサＣの両端電圧Ｖｏを出力として把握する。電源電圧Ｖｓに対する両端電圧Ｖｏの伝達関数は以下のようになる。
【００９１】
【数１０】
0005146011.tif 000011
【００９２】
この伝達関数において、非減衰固有周波数ｆ１、ｆ２および減衰係数ξは、
【００９３】
【数１１】
0005146011.tif 000012
【００９４】
となる。図１０はこの伝達関数における周波数特性を示すボード線図である。図１０については、リアクトルＬのインダクタンスが１．５ｍＨ、コンデンサＣの電気容量が１０μＦであるときについて、抵抗Ｒの抵抗値１０Ω、３０Ω、１００Ωの３つの場合の結果を示している。
【００９５】
図１１は、このようなキャリア電流成分除去フィルタを用いた図８のモータ駆動装置において、電圧Ｖｒｔと、コンデンサＣｒ，Ｃｔの一組の両端電圧と、クランプコンデンサＣｃ１，Ｃｃ２の一組の両端電圧、直流電源線Ｌ１，Ｌ２の間の電圧とを示している。なお、図１１においては、抵抗Ｒ１の抵抗値が１０Ωおよび１００Ωであるときの結果を示している。
【００９６】
図１１に示すように、抵抗Ｒ１の抵抗値によってダンピングを持たせることができ、以って過渡時においてコンデンサＣｒ，Ｃｔ、クランプコンデンサＣｃ１，Ｃｃ２の各々に印加される電圧（過渡電圧）を低減できる（抵抗値１０Ω，１００Ωの結果を参照）。
【００９７】
そして、図６に示す突入電流と比較して、抵抗値が１０Ω程度であれば、突入電流を低減すると共に、コンデンサＣｒ，Ｃｓ，Ｃｔの過渡電圧を低減することができる。
【図面の簡単な説明】
【００９８】
【図１】第１の実施の形態にかかるモータ駆動装置の一例を示す概念的な構成図である。
【図２】制御部の動作を示すフローチャートである。
【図３】入力線ＡＣＬｒと中性相入力線ＡＣＬｎの間の電圧Ｖｒｎと、トランジスタＳｒｐの導通／非導通の状態と、トランジスタＳｒｎの導通／非導通の状態とを示す図である。
【図４】突入電流を防止するメカニズムを説明するための回路を示す図である。
【図５】図４に示す回路のブロック線図である。
【図６】図４に示すコンデンサに流れる電流の応答を示す図である。
【図７】第１の実施の形態にかかるモータ駆動装置の他の一例を示す概念的な構成図である。
【図８】第２の実施の形態にかかるモータ駆動装置を示す概念的な構成図である。
【図９】コンデンサへの入力特性を改善するメカニズムを説明するための回路を示す図である。
【図１０】図１２に示す回路のボード線図である。
【図１１】入力線ＡＣＬｒ，ＡＣＬｓの間の電圧と、コンデンサＣｒ，Ｃｔの一組の両端電圧と、クランプコンデンサＣｃ１，Ｃｃ２の一組の両端電圧と、直流電源線Ｌ１，Ｌ２の間の電圧とを示す図である。
【図１２】非特許文献１にかかる電力変換装置を示す構成図である。
【図１３】クランプコンデンサの電気容量とクランプコンデンサの両端電圧の関係を示すグラフである。
【図１４】クランプコンデンサの電気容量とクランプコンデンサの突入電流の関係を示すグラフである。
【符号の説明】
【００９９】
１  電流形コンバータ
３  電圧形インバータ
４  モータ
５  制御部
ＡＣＬｒ，ＡＣＬｓ，ＡＣＬｔ  入力線
ＡＣＬｎ  中性相入力線
Ｃｃ１，Ｃｃ２  クランプコンデンサ
Ｌｒ，Ｌｓ，Ｌｔ  コイル
Ｒ１〜Ｒ３  抵抗
Ｓ１  スイッチ
【図１】
0005146011.tif 000013
【図２】
0005146011.tif 000014
【図３】
0005146011.tif 000015
【図４】
0005146011.tif 000016
【図５】
0005146011.tif 000017
【図６】
0005146011.tif 000018
【図７】
0005146011.tif 000019
【図８】
0005146011.tif 000020
【図９】
0005146011.tif 000021
【図１０】
0005146011.tif 000022
【図１１】
0005146011.tif 000023
【図１２】
0005146011.tif 000024
【図１３】
0005146011.tif 000025
【図１４】
0005146011.tif 000026